(57)【特許請求の範囲】
【請求項１】
首、肩、胸元、腕、手の甲を紫外線から守る為のカバーを一体化し、首の後で止めることにより、自由になった両腕を同時に、左右の手首部の連結部を通すのみで装着する事ができワンタッチでの装着を可能とする日焼け防止カバーであって、手首部で連結もしくは縫合するのみとし脇部分を大きく刳ってなる一枚布でできた腕被覆部分と、首を一周し覆うために形成された立ち上がる布部を有し、胸元についてはバストトップ辺りまでの丈とし、手の甲部のカバーには親指を通す穴を設け手の平側の布は手首までの長さとなっていることを特徴とする日焼け防止カバー。
【発明の詳細な説明】
【技術分野】
【０００１】
この発明は車の運転時など、防ぎきれない状態で正面から来る紫外線から、首、肩、胸元、腕、手の甲、のすべてを守る為に被覆布を一体化、開発された、ワンタッチ装着可能な日焼け防止カバーである。
【背景技術】
【０００２】
従来の日焼け防止カバーは下記の様なものが有る。                                （イ）手袋様のもの。                                      （特許文献１参照）    （ロ）ショール、ストール、カーデガン、ブラウス様に羽織るもの。                                                                        （特許文献２〜７参照）    （ハ）首元カバー、もしくはマフラー様の物で、首下部に袖部のカバーを取り付けたもの。                                                  （特許文献８〜９参照）    
【０００３】
【特許文献１】実開平０７−３３９２５
【特許文献２】特開２０００−３２８３１７
【特許文献３】登録実用新案  ３０９９６７２
【特許文献４】特開２００３−２９３２０８
【特許文献５】特開２００１−２０１１１
【特許文献６】特開２００７−３２１２５１
【特許文献７】特開２００７ー２０４９１０
【特許文献８】登録実用新案  ３０２６９３３
【特許文献９】登録実用新案  ３０１９２２０
【発明の開示】
【発明が解決しようとする課題】
【０００４】
（イ）〜（ハ）に述べた従来の日焼け防止具には次のような難点、欠点が有った。    
【０００５】
（イ）特許文献１に示す従来の手袋状の物の場合は、左手で右手袋を、右手で左手袋を装着しなければならず長手袋を片手で二の腕まで引き上げ一本一本指先まで装着する操作は手間取り面倒であった。又、手袋状であるため夏などは肌に密着し汗ばむ不快感があった。加えて車の運転時は手の平部分の布が滑りやすくハンドル操作が不安定で危険であり日除け部分は腕、手のみであった。                                                
【０００６】
（ロ）特許文献２，特許文献３、特許文献４，特許文献５，に示す従来のショール、ストール、カーデガン様に羽織ったり着用する物の場合、後、左右、上方向からの日差しから首の後、肩、腕、手の甲のを日焼けを防いでも真正面からの日差しに対して無防備であり首正面、胸元正面などは日焼防止されなかった。車の運転時は後からの日差しを受ける機会よりも左右、正面からの日差しが最も多いと考えられるその観点から考えると日焼けを避けたい部分を完全に保護することが成されていなかった。                       
【０００７】
（ロ）文献６に示す日焼け防止具は手の甲部分を被覆しながらてのひらまで被覆しているためハンドル操作時など滑り、不安定である。加えて、袖部分から手首、手の平まで被覆しているのは装着に手間取る。                                                    
【０００８】
（ロ）文献７に示すブラウス様の日焼け防止具について腕カバー部分の脇刳りがブラウス状の筒であることは汗ばんだ腕は通りにくく装着に手間取り面倒である。            
【０００９】
（ハ）特許文献８，特許文献９に示す首もとのカバーもしくはマフラー様の物で首下部に袖部分のカバーを取り付けた物の場合、左手で右袖を、右手で左袖を装着しなければならず手間取り面倒であった。又この場合首部分と肩、腕、手の甲の日焼けを防ぐが、車の運転時胸元辺りに最も多く受ける正面からの日差しについては無防備である。          
【００１０】
（イ）・（ロ）・（ハ）、特許文献１〜７に示す従来の日焼け防止具について。本来日焼け防止を望む人たちの思いの根元は色白すなはち美であるはずと考えられる。しかしこれまでの日焼け防止具には、確実に日焼け防止をしながらチャーミングで有ったり、セクシーで美しく、可愛らしい、キュートな魅力を引き立てる、惹かれる製品、求められる製品が見あたらずデザイン的におしゃれへの不足があった。                            
【００１１】
本発明は以上の様な欠点難点を無くす、日焼け防止カバーを提供する事を目的とする物である。                                                                        
【課題を解決するための手段】
【００１２】
首、肩、胸元、腕、手の甲を一体化したカバーで、車の運転時防ぎきれない正面からの紫外線から日焼けを防ぐ。首の後で止めることにより、自由になった両腕を同時に左右の手首部の連結部を通すのみで装着することできワンタッチでの装着を可能とする。腕カバー部は一枚布で手首部で連結もしくは縫合させ、脇刳りを大きくとることで風通し良く快適に使用でき装着も素早くできる。ボレロサイズで胸元には様々な装飾が可能で、布の素材によってもお洒落、セクシー、チャーミングな製品の提供が可能で有る。手の平側は布をとりのぞき素手の感覚を残し車の運転時安全なハンドル操作ができるお洒落な日焼け防止カバーを提供する。                                                          
【発明の効果】
【００１３】
発明が解決しようとする課題０００５について、これまで左手で右手袋を二の腕まで引き上げ、右手で左手袋を二の腕まで引き上げ装着しなければならず手間取り面倒であった。この点について、図１に示す１ａ、１ｂは両面ファスナーであるが、第１の手順としてこの１ａ、１ｂを首の後で接着固定、もしくは扱いやすい大きさのボタンなどで一点止めする事で両手は自由になり、第２の手順として右手、左手同時に左右の手首部の連結部を通すのみで装着する事が出来る。すなわち図１６に示すとおり第１，第２の手順でワンタッチの素早い装着が可能となり装着時の面倒な手順、煩わしさを解決する。          
【００１４】
発明が解決しようとする課題０００５の手袋状で有るため夏などは肌に密着し汗ばむ不快感があった。この点について、図１の８に示す大きく刳った脇刳と、図１の５に示す腕被覆部分は一枚布で手首部で連結もしくは縫合するのみとし、通気を良くする事で、手袋状であるため肌に密着し汗ばむ不快感があったという課題を解決する。                
【００１５】
発明が解決しようとする課題０００５について手袋状であるため車の運転時手の平部分が滑りやすくハンドル操作が不安定で危険であった。この点について、当発明は図１の７に示す手の平側の布地について長さを手首まででとどめるため手の平は素手感覚を残しハンドル操作を確実にさせ、手の平部分が滑りやすくハンドル操作が不安定で危険であったという課題を解決する。                                                          
【００１６】
発明が解決しようとする課題０００５について、長手袋状であるため一本一本指先まで装着する必要があり、長手袋の指先まで装着することは面倒であった。この点について当発明は図の１の７に示すように手の平側の布地は手首までとし、手の平は素手状態であり又図１の６に示すとおり手の甲部分は、手の甲から並んだ指先まで日差しから守る長さとなっており一本一本指を通す必要性がなく、長手袋で有るため一本一本指先まで装着しなければならず面倒くさかったという課題を解決する。                                
【００１７】
発明が解決しようとする課題０００５の日焼け防止部分は腕、手のみであり正面の日差しから首、肩、胸元を保護していなかった。又、課題０００６は日焼け防止部分が首の後、肩、腕、手の甲までであり、正面の日差しから首の正面、胸元を保護していなかった。これらの点について当発明は図１の２に示す布部分を有し、首部分を立ち上げ一周しているため、首の正面を含む首のすべてを覆い日焼けを防止し、課題０００５及び課題０００６の真正面からの日差しから首正面の保護をしていなかったという課題を解決する。                                                                  
【００１８】
発明が解決しようとする課題０００５の日焼け防止部分は腕、手のみであり正面の日差しから首、肩、胸元を保護していなかった。又、課題０００６は日焼け防止部分が首の後、肩、腕、手の甲までであり正面の日差しから首の正面、胸元を保護していなかった。課題０００９は日焼け防止が首部分、肩、腕、手の甲で正面の日差しから胸元を保護していなかったこれらの点について当発明は図１の４に示す胸元被覆部分を有し、正面の日差しから胸元を保護する事が出来、課題０００５，０００６，０００９に示す正面の日差しから胸元を保護していなかったという課題を解決する。                              
【００１９】
発明が解決しようとする課題０００９の首元のカバーもしくはマフラー様の物の首下部に袖部分のカバーを取り付ける物の場合左手で右袖を、右手で左袖を装着しなければならず手間取り面倒であったという点については００１３に示すとおり図１に示す１ａ、１ｂに取り付けた両面ファスナーにより首の後一点に固定することで両手は自由になり右手、左手同時に左右の手首部の連結部を通すのみで素早く装着することが事が出来装着に手間取るという点を解決する。又、首部分と肩、腕、手の甲、の日焼けを防ぐが、車の運転時胸元辺りに最も多く受ける正面からの日差しについて無防備であったという点については、００１８に示すとおり図１の４に示す胸元被覆部分を有し課題０００９の胸元辺りに多く受ける正面からの日差しに無防備であったという課題を解決する。                
【００２０】
発明が解決しようとする課題０００７につい手の甲部分を被覆しながらてのひらまで被覆しているためハンドル操作時など滑り、不安定である。加えて、袖部分から手首、手の平まで被覆しているのは装着に手間るという点について。当製品は図１の７に示すとおり腕カバー部の布地については長さを手首まででとどめるため手の平は素手の感覚を残し、車の運転時ハンドル操作時など滑り、不安定であるという点を解決する。また、袖部分から手首、手の平まで被覆しているのは装着に手間るという点について当製品は図１の１−ａ及び図１の１−ｂに取り付けた両面ファスナーにより首の後の一点に固定することで両手は自由になり右手、左手同時に  左右の手首部の連結部を通すのみで装着することができ装着が手間取るという点を解決する。                                            
【００２１】
発明が解決しようとする課題０００８の、腕カバー部分の脇刳りがブラウス状で有るため汗ばんだ腕は通りにくく装着に手間取る点について当製品は図１の５に示す腕カバー部は一枚布で出来ており手首部で連結させ、脇刳りを大きくとることで風通し良く快適に使用でき装着も素早くできる。これらの点で課題００８の腕カバー部分の脇刳りがブラウス状であるため汗ばんだ腕は通りにくく装着に手間取るという点を解決する。            
【００２２】
発明が解決しようとする課題００１０について、本来日焼け防止を望む人たちの思いの根元は色白すなはち美で有りお洒落であると考えられる。しかし００２の（イ）・（ロ）・（ハ）に示す従来の日焼け防止具には、日焼け防止を兼ねながらチャーミングで有ったり、セクシーで美しく、可愛らしい、キュートな魅力を引き立てる、惹かれる製品、求められる製品が見あたらずデザイン的にお洒落への不足が残った。これらの解決方法として図６から図１５に示す装飾を施す事や素材、色使いにより、現在有る日焼け防止具には無い、日焼け防止を兼ねながらチャーミングで有ったり、セクシーで美しく、可愛らしい、キュートな魅力を引き立てる、惹かれる製品が見あたらずデザイン的にお洒落への不足が残ったという課題を解決する。                                            
【００２３】
０００５から００１０に示す課題以外に特記すべき点として、紫外線が強いにも関わらず夏には女性のおしゃれにキャミソールやタンクトップのようなに襟刳りの大きく開いた衣類が多く見られる。これらの衣類は鎖骨が丸出しになりシートベルトが擦れ、痛くてシートベルトを装着しなかったり、ハンカチなどをあてる努力をしだり、ずらして運転している女性が居ることも事実である。この製品は胸元までの長さの図１の４に示す布部分を有し鎖骨部分を保護するためシートベルトと鎖骨の摩擦から起こる痛みや不快感を無くすものである。痛みを解消し、心地よく運転に専念でき交通安全へも帰依し、シートベルトを装着しない違法行為を無くし、大事故に繋がるような行為を減らし社会貢献することができる。                                                                      
【発明を実施するための最良の形態】
【００２４】
本発明は以上の様な欠点、難点を無くす為に以下のような特徴を持つ、日焼け防止カバーを提供する事を目的とする製品である。
【００２５】
首の後部分を図１の１−ａ、１−ｂで示す両面ファスナーや扱いやすい大きさのボタンなどで一点止め固定し自由になった両腕を同時に素早く手首部の連結部を通すのみで装着出来るよう考えられた特徴を持つ製品である。                                      
【００２６】
車の運転時など、正面及び左右からの紫外線に晒される事のないよう、一枚仕立てで図１の２，３，４，５，６を有する首、肩、胸元、腕、手の甲まで、女性にとって守りたい多くの部分を日焼から一度に覆う事が出来るようにカバー部分を一体化させた紫外線透過抑制効果の有る布を使用する製品である。                                          
【００２７】
通気性を良くし快適に使用出来るように腕カバー部分は一枚布で、図１の９に示す手首部で縫合もしくは両面ファスナーなどで連結させ、脇部分を大きく刳った製品である。  
【００２８】
肩から手の甲まで続く布で肩、腕、手の甲を日焼けから守りながら、手の甲部のカバーがめくれないよう、中指、人差し指であったりその他の一本の指で、共布などを利用したりした図１の１０に示すリング状の物で固定する。または図４に示す親指通しの穴などあけたりした製品である。                                                          
【００２９】
個々の身体的特徴に合わせるために手首辺りを図の５に示すゴムなどで止めたり軽くリボンなど取り付け、長さの調整をすることが可能な製品である。                      
【００３０】
お洒落を演出するために、首の部分はシャーリングの襟で上品に、たっぷりのドレープは大人の魅力である。図６。                                                      
【００３１】
お洒落を演出するために、パールネックレスは豪華である。図７。                  
【００３２】
お洒落を演出するために、レース使いはあでやかである。図８。
【００３３】
お洒落を演出するために、フリルは可愛らしく仕上がる。図９。
【００３４】
お洒落を演出するために、チェーンペンダントは活動的である。図１０。
【００３５】
お洒落を演出するために、女学生時代の気分に戻れるリボンタイ。図１１。
【００３６】
お洒落を演出するために、ビーズ模様はしっとりとするものである。図１２。        
【００３７】
お洒落を演出するために、苺やチュウリップなどのワンポイント飾りは可愛らしくなるものである。、図１３。
【００３８】
お洒落を演出するために、ボタン飾りもアイデアである。図１４。                  
【００３９】
お洒落を演出するためにシンプルに、メロウカットで、仕上げたものである。図１５。  
【００４０】
胸元については、図１７に示すバストトップ辺りまでの丈にし、ミニボレロサイズでレース使いや、黒などの色使いも可能でちょっとセクシーさを追求した製品である。
【００４１】
布は紫外線透過抑制効果のある素材を使用し、時にはレース製品も豪華であるし、ドット模様や水玉、若い人向きにチェック柄、など活動的であったり、可愛らしさ、上品さも求め対応する製品である。                                                        
【００４２】
図２に示す首、肩、胸元、腕、手の甲を一度でカバーできるように一体化作成された製品により、襟刳りの大きく開いた衣類の時露わになった鎖骨など図１の４に示す胸元のカバー部分で保護する役目もはたし、車の運転時鎖骨とシートベルトとの摩擦から起こる痛みや不快感から解放する製品である。                                              
【００４３】
直に車のバンドル等確実に握れるよう手の平側の布は図１の７に示す手首までの長さとなっているため素手の感覚を残し、滑ったりする事が無くハンドル等の操作の安全性を得る事が出来る製品である。                                                        
【００４４】
使用しない時はヘッドレストに袖部分をリボンの様に結ぶと、邪魔にならず逆に装飾にもしてしまえる製品である。
【図面の簡単な説明】
【００４５】
【図１】製品背面斜視図
【図２】製品正面斜視図
【図３】指ぬき部分拡大斜視図
【図４】親指指通し穴拡大斜視図
【図５】リストバンド部斜視図
【図６】製品装飾パターン案図例  １
【図７】製品装飾パターン案図例  ２
【図８】製品装飾パターン案図例  ３
【図９】製品装飾パターン案図例  ４
【図１０】製品装飾パターン案図例  ５
【図１１】製品装飾パターン案図例  ６
【図１２】製品装飾パターン案図例  ７
【図１３】製品装飾パターン案図例  ８
【図１４】製品装飾パターン案図例  ９
【図１５】製品装飾パターン案図例  １０
【図１６】製品装着手順図
【図１７】製品装着正面図
【図１８】製品装着背面図
【図１９】製品装着時使用想定図
【符号の説明】
【００４６】
１−ａ、１−ｂ  両面接着テープ
２  首部カバー
３  肩部カバー
４  胸元カバー
５  腕カバー
６  手の甲カバー
７  手の平部
８  脇刳り
９  手首部連結部
１０  指ぬき
【図１】
0005431686.tif 000002
【図２】
0005431686.tif 000003
【図３】
0005431686.tif 000004
【図４】
0005431686.tif 000005
【図５】
0005431686.tif 000006
【図６】
0005431686.tif 000007
【図７】
0005431686.tif 000008
【図８】
0005431686.tif 000009
【図９】
0005431686.tif 000010
【図１０】
0005431686.tif 000011
【図１１】
0005431686.tif 000012
【図１２】
0005431686.tif 000013
【図１３】
0005431686.tif 000014
【図１４】
0005431686.tif 000015
【図１５】
0005431686.tif 000016
【図１６】
0005431686.tif 000017
【図１７】
0005431686.tif 000018
【図１８】
0005431686.tif 000019
【図１９】
0005431686.tif 000020